(57)【要約】【課題】便器に良好に取り付けることができ、使用者の体重を良好に測定することができる便器用体重計を提供する。【解決手段】便器用体重計２０は、便器本体１１及び便座１２を有する便器１０に取り付けて、便座１２に着座した使用者Ｈの体重を測定する。便器用体重計２０は、流体を封入して内圧を検出するための検出口２１Ａを有しており、便器本体１１の上面と便座１２の下面との間に設置して便座１２に使用者Ｈが着座すると圧縮変形して内圧が増加する袋体２１と、検出口２１Ａに連通し、袋体２１の内圧を検出する圧力センサー２５と、この圧力センサー２５の出力に基づいて、使用者Ｈの体重を演算する演算装置２６とを備えている。【選択図】図１
2014206002.tif 000002
【特許請求の範囲】
【請求項１】
便器本体及び便座を有する便器に取り付けて、前記便座に着座した使用者の体重を測定する便器用体重計であって、
流体を封入して内圧を検出するための検出口を有しており、前記便器本体の上面と前記便座の下面との間に設置して前記便座に使用者が着座すると圧縮変形して内圧が増加する袋体と、
前記検出口に連通し、前記袋体の内圧を検出する圧力センサーと、
この圧力センサーの出力に基づいて、前記使用者の体重を演算する演算装置とを備えていることを特徴とする便器用体重計。
【請求項２】
前記袋体の一部分を露出した状態で保持し、この露出した前記袋体の一部分が前記便鉢部の上面又は前記便座の下面の一方に当接し、前記便座に使用者が着座すると圧縮変形するように前記袋体を配置する保持部材を備えていることを特徴とする請求項１記載に便器用体重計。
【請求項３】
前記袋体は前記便座の中央開口部に沿って左右に延びて配置されていることを特徴とする請求項１又は２記載の便器用体重計。
【請求項４】
前記袋体に流体を流入させるポンプを備えていることを特徴とする請求項１乃至３のいずれか１項記載の便器用体重計。
【請求項５】
前記ポンプは、前記便座の回動によって駆動し、前記袋体に流体を流入させることを特徴とする請求項４記載の便器用体重計。
【請求項６】
便器本体及び便座を有し、請求項１乃至５のいずれか１項記載の便器用体重計を取り付けたことを特徴とする便器。
【発明の詳細な説明】
【技術分野】
【０００１】
本発明は便器用体重計及びそれを取り付けた便器に関する。
【背景技術】
【０００２】
特許文献１は従来の便器用体重計を開示している。この便器用体重計は、便器本体と、この便器本体に対して回動自在に取り付けた便座とを有する便器に取り付けて、便座に着座した使用者の体重を測定することができる。この便器用体重計は、便器本体の上面と便座の下面との間に設置し、荷重を電気信号に変換する重量センサーと、重量センサーから出力した電気信号に基づいて使用者の体重を演算する演算装置とを備えている。この便器用体重計は、通常の便器、及び便座に対して取り付けることができるため、便器や便座を交換せずに容易に便座に着座した使用者の体重を測定することができる。
【先行技術文献】
【特許文献】
【０００３】
【特許文献１】特開平９−１１９８５９号公報
【発明の概要】
【発明が解決しようとする課題】
【０００４】
しかし、特許文献１の便器用体重計は、重量センサーを便器本体の上面と便座の下面との間に設置するため、尿や便器洗浄水等がかかるおそれがある。このため、圧力を電気信号に変換した信号を出力する重量センサーは、防水性を有する必要がある。また、重量センサーは便座に着座した使用者の体重によって繰り返し変形する。このため、重量センサーは耐久性を有する必要がある。このように、重量センサーは、防水性と耐久性を有する必要があるため、小型化することが容易ではない。便器本体の上面と便座の下面との間に設置する重量センサーが大きくなると、便器本体の上面と便座の下面との隙間が大きくなり、尿や便器洗浄水等がその隙間から便器本体外へ飛散してしまう等の不具合が生じるおそれがある。
【０００５】
また、便器本体が陶器製である場合、便器本体の上面の水平度がばらついている。このため、便器本体の上面に設置した重量センサーが必ずしも水平に設置されず、重量センサーが重量を検知する方向と、重量センサーにかかる使用者の体重の方向とがずれて、重量センサーの検知が良好に行われないおそれがある。さらに、近年では意匠性を向上させるため、便器のリムの狭幅化が顕著であり、狭幅化したリム上に重量センサーを設置した際、安定性を損ない、やはり検知が良好に行われないおそれがある。
【０００６】
本発明は、上記従来の実情に鑑みてなされたものであって、便器に良好に取り付けることができ、使用者の体重を良好に測定することができる便器用体重計及びそれを取り付けた便器を提供することを解決すべき課題としている。
【課題を解決するための手段】
【０００７】
本発明の便器用体重計は、便器本体及び便座を有する便器に取り付けて、前記便座に着座した使用者の体重を測定する便器用体重計であって、
流体を封入して内圧を検出するための検出口を有しており、前記便器本体の上面と前記便座の下面との間に設置して前記便座に使用者が着座すると圧縮変形して内圧が増加する袋体と、
前記検出口に連通し、前記袋体の内圧を検出する圧力センサーと、
この圧力センサーの出力に基づいて、前記使用者の体重を演算する演算装置とを備えていることを特徴とする。
【０００８】
この便器用体重計は、便器本体の上面と便座の下面との間に設置した袋体の内圧を圧力センサーが検出することによって、その内圧から便座に着座した使用者の体重を演算して測定することができる。袋体は、電気機器を内蔵するものではないため、簡易な構造で構成することができ、耐久性を有していればよい。このため、袋体を小型にすることができる。また、袋体の変形は一方向に限定するものではないため、便器本体の上面の水平度がばらついても、使用者の体重に応じて内圧が増加する。このため、この便器用体重計は使用者の体重を良好に検知することができる。
【０００９】
したがって、本発明の便器用体重計は、便器に良好に取り付けることができ、使用者の体重を良好に測定することができる。
【図面の簡単な説明】
【００１０】
【図１】実施例１の便器用体重計を便器に取り付けた状態を示す断面図である。
【図２】実施例１の便器用体重計を便器に取り付けた状態を示す要部断面図である。
【図３】実施例１の便器用体重計を示す斜視図である。
【図４】実施例１の便器用体重計の構成を示す概略図である。
【図５】実施例２の便器用体重計を便器に取り付けた状態を示す要部断面図である。
【発明を実施するための形態】
【００１１】
本発明における好ましい実施の形態を説明する。
【００１２】
本発明の便器用体重計は、前記袋体の一部分を露出した状態で保持し、この露出した前記袋体の一部分が前記便鉢部の上面又は前記便座の下面の一方に当接し、前記便座に使用者が着座すると圧縮変形するように前記袋体を配置する保持部材を備え得る。この場合、保持部材によって袋体を便器本体の上面と便座の下面との間に容易に設置することができる。また、袋体は、保持部材に保持されているため、圧縮変形しても位置ずれを生じない。
【００１３】
本発明の便器用体重計において、前記袋体は前記便座の中央開口部に沿って左右に延びて配置され得る。この場合、便座の下面に対して、広い範囲に袋体を配置することになるため、使用者の便座への着座位置が左右に多少ずれても使用者の体重に応じて袋体が圧縮変形し、内圧が増加する。このため、この便器用体重計は使用者の体重を良好に検知することができる。
【００１４】
本発明の便器用体重計は前記袋体に流体を流入させるポンプを備え得る。この場合、袋体内の流体が経時的に減少した場合等にポンプを駆動して袋体に流体を流入させることによって、袋体を設定した内圧にすることができる。
【００１５】
本発明の便器用体重計において、前記ポンプは、前記便座の回動によって駆動し、前記袋体に流体を流入させ得る。この場合、便座の回動に連動してポンプが駆動し、袋体に流体を流入させることができる。このため、この便器用体重計はポンプを駆動するためのハンドル等を別に設けなくてもよい。また、使用者が便座を回動させることによって、ポンプが駆動するため、使用者が意識することなく袋体に流体が流入し、袋体内の流体の経時的な減少を抑制することができる。
【００１６】
本発明の便器は、便器本体及び便座を有し、前記便器用体重計を取り付けたことを特徴とする。この便器は、良好に取り付けられた便器用体重計によって、使用者の体重を良好に測定することができる。
【００１７】
次に、本発明の便器用体重計を具体化した実施例１及び２について、図面を参照しつつ説明する。
【００１８】
＜実施例１＞
実施例１の便器用体重計２０は、図１に示すように、便器１０に取り付けて、便座１２に着座した使用者Ｈの体重を測定するものである。便器１０は、便器本体１１、便座１２、便蓋１３、便座ボックス１４、洗浄タンク１５、洗浄水分配管１６、及び排水接続管１７を有している。便器本体１１は、便鉢部１１Ａと、便鉢部１１Ａの下流側に連通する便器排水路とを有している。便座１２及び便蓋１３は、便座ボックス１４に軸支されており、便器本体１１に対して起立状態と倒伏状態との間で回動自在である。便座ボックス１４は、便鉢部１１Ａより後方、かつ洗浄タンク１５よりも前方の便器本体１１上であって、後述する保持部材２２上に取り付けられている。この便座ボックス１４は、後述する演算装置２６やポンプ２７等を収納している。洗浄タンク１５は、便器本体１１の後部上面に載置され、固定されている。この洗浄タンク１５は便器洗浄用の洗浄水を貯留している。洗浄水分配管１６は、洗浄タンク１５の下面に設けられた排出口に連通し、便鉢部１１Ａの上部周縁の２か所に洗浄水を吐水するように分岐した２個の吐水口１６Ａを有している。この便器１０は、便器洗浄を実行すると、洗浄タンク１５に貯留した洗浄水が洗浄水分配管１６を介して便鉢部１１Ａの上部周縁の２か所から吐水される。排水接続管１７は便器排水路１１Ｂの下流端部と床面Ｆから引き出された排水管１の上流端部とを連結している。
【００１９】
便器用体重計２０は、図１〜図４に示すように、袋体２１、保持部材２２、マニホールド２４、圧力センサー２５、演算装置２６、ポンプ２７、及びリリーフ弁２８を備えている。袋体２１は、ゴム製であり、両端が閉鎖し、流体である空気を封入した状態で、外形が略Ｕ字状の円柱体になるように形成されている。この袋体２１は中央部の後側面に貫設した検出口２１Ａを有している。検出口２１Ａは袋体２１の内圧を検出するために利用される。また、検出口２１Ａは袋体２１に流体である空気を流入させる流入口を兼ねている。この袋体２１は、後述するように、全長に亘って上側側面が保持部材２２の上面から露出した状態で保持部材２２の溝部２３に嵌め込まれ、保持される。つまり、保持部材２２は袋体２１の一部分を露出した状態で袋体２１を保持している。
【００２０】
保持部材２２は、洗浄タンク１５よりも前側（便鉢部１１Ａ側）の便器本体１１の上面に載置される。この保持部材２２は、便器本体１１の上面に載置した状態で、便器本体１１の上方から見ると、外形が便器本体１１の上面の外形と略同じ形状に形成されている。また、この保持部材２２は、便器本体１１の上面に載置した状態で、便鉢部１１Ａの上部開口１８よりも内側に開口しており、便鉢部１１Ａの上部開口１８と相似形の開口部２２Ａを有している。保持部材２２は開口部２２Ａの周縁から垂下する垂下縁部２２Ｂを有している。垂下縁部２２Ｂは、保持部材２２を便器本体１１の上面に載置すると、便鉢部１１Ａの上部開口１８よりも内側に位置し、便器本体１１の上面１９より下方に延びている。
【００２１】
保持部材２２は、便器本体１１の上面に載置した状態で、上面側に上方に開口した溝部２３を形成している。溝部２３は、保持部材２２の前部左右の夫々から開口部２２Ａの周縁に沿って後方に延び、開口部２２Ａの後方で連結している。溝部２３は、上方から見ると、略Ｕ字状に形成されている。溝部２３は、設定した内圧で空気を封入した袋体２１の側面に合わせた断面形状（上側の約４分の１を切欠いた円形状）に形成されている（図２参照）。
【００２２】
保持部材２２は、溝部２３に袋体２１を嵌め込み、袋体２１の全長に亘って袋体２１の上側側面が保持部材２２の上面から露出するように袋体２１を保持している。溝部２３の開口幅が設定した内圧で空気を封入した袋体２１の径寸法よりも狭いため、袋体２１は溝部２３から抜け出ないように保持されている。
【００２３】
マニホールド２４は第１ポート２４Ａ〜第４ポート２４Ｄを有している。マニホールド２４の第１ポート２４Ａが袋体２１の検出口２１Ａに連通している。圧力センサー２５はマニホールド２４の第２ポート２４Ｂに連通している。このため、圧力センサー２５は、マニホールド２４を介して袋体２１に連通しており、袋体２１の内圧を検出することができる。圧力センサー２５は検出した内圧に応じて電気信号を出力する。
【００２４】
演算装置２６は、圧力センサー２５から出力された信号が入力され、その入力信号に応じて袋体２１を圧縮変形した力を重量に換算することができる。つまり、袋体２１を便器本体１１の上面と便座１２の下面との間に配置して、便座１２に使用者Ｈが着座することによって袋体２１が圧縮変形して内圧が増加するようにした場合、袋体２１の圧力を圧力センサー２５が検出し、圧力センサー２５の出力に応じて、演算装置２６は便座１２に着座した使用者Ｈの体重を演算することができる。演算装置２６は便座ボックス１４内に収納されている。演算装置２６は演算した結果を便座ボックス１４等に設けた図示しない表示装置に出力する。表示装置は便座１２に着座した使用者Ｈの体重を表示する。
【００２５】
ポンプ２７はマニホールド２４の第３ポート２４Ｃに連結チューブ２９を介して連通している。ポンプ２７は、便座ボックス１４内に収納され、軸部２７Ａが便座１２及び便蓋１３の軸部に連結している。このため、便器１０の使用者Ｈ等が便座１２及び／又は便蓋１３を起立状態と倒伏状態との間で回動させると、便座１２及び便蓋１３の軸部に連結したポンプ２７の軸部２７Ａが回動し、空気が連結チューブ２９を介してマニホールド２４方向に送り出される。そして、ポンプ２７からマニホールド２４方向に送り出された空気はマニホールド２４の第１ポート２４Ａから袋体２１の検出口２１Ａを介して袋体２１内に流入する。このように、この便器用体重計２０はポンプ２７を駆動するためのハンドル等を別に設けなくてもよい。また、使用者Ｈが便座１２及び／又は便蓋１３を回動させることによって、ポンプ２７が駆動するため、使用者Ｈが意識することなく袋体２１に空気が流入し、袋体２１内の空気の経時的な減少を抑制することができる。
【００２６】
リリーフ弁２８はマニホールド２４の第４ポート２４Ｄに連通している。リリーフ弁２８は、ポンプ２７によって空気が袋体２１内に流入する際、袋体２１の内圧が設定圧力よりも高くなると、開弁するように設定され、それ以外は閉弁している。これによって、便座１２及び／又は便蓋１３が回動することによって、袋体２１に空気が流入して袋体２１の内圧が設定圧力以上になることを防止している。
【００２７】
このような構成を有する便器用体重計２０は、保持部材２２が洗浄タンク１５よりも前側（便鉢部１１Ａ側）の便器本体１１の上面に載置される。そして、この保持部材２２の後部上面に便座ボックス１４が取り付けられる。袋体２１は保持部材２２の開口部２２Ａに沿って形成した溝部２３に上側側面が露出して保持されている。このため、便座ボックス１４に回動自在の軸支された便座１２が保持部材２２上に位置する倒伏状態に位置すると、便座１２の下面が袋体２１の上側側面に当接する状態になる。また、袋体２１は便座１２の中央開口部１２Ａに沿って左右及び前後に延びて配置されることになる。つまり、袋体２１は、保持部材２２に保持され、便器本体１１の上面と便座１２の下面との間に設置される。
【００２８】
そして、便座１２に使用者Ｈが着座すると、袋体２１は圧縮変形して内圧が増加する。すると、圧力センサー２５は、袋体２１の内圧を検出し、その内圧に応じた電気信号を出力する。すると、演算装置２６は、圧力センサー２５から出力された電気信号が入力され、その入力信号に応じて便座１２に着座した使用者Ｈの体重を演算する。そして、便器用体重計２０は表示装置に演算結果である便座１２に着座した使用者Ｈの体重を表示する。
【００２９】
このように、この便器用体重計２０は、便器本体１１の上面と便座１２の下面との間に設置した袋体２１の内圧を圧力センサー２５が検出することによって、その内圧から便座１２に着座した使用者Ｈの体重を演算して測定することができる。袋体２１は、電気機器を内蔵するものではないため、簡易な構造で構成することができ、耐久性を有していればよい。このため、袋体２１を小型にすることができる。また、袋体２１の変形は一方向に限定するものではないため、便器本体１１の上面の水平度がばらついても、使用者Ｈの体重に応じて内圧が増加する。このため、この便器用体重計２０は使用者Ｈの体重を良好に検知することができる。
【００３０】
したがって、実施例１の便器用体重計２０は、便器１０に良好に取り付けることができ、使用者Ｈの体重を良好に測定することができる。
【００３１】
また、この便器用体重計２０は、保持部材２２が袋体２１の上側側面を露出した状態で保持し、袋体２１の露出した上側側面が便座１２の下面に当接し、便座１２に使用者Ｈが着座すると圧縮変形するように袋体２１を配置している。このため、保持部材２２によって袋体２１を便器本体１１の上面と便座１２の下面との間に容易に設置することができる。また、袋体２１は、保持部材２２に保持されているため、圧縮変形しても位置ずれを生じない。
【００３２】
また、この便器用体重計２０は、袋体２１が便座１２の中央開口部１２Ａに沿って左右及び前後に延びて配置されている。このため、便座１２の下面に対して、広い範囲に袋体２１が配置されており、使用者Ｈの便座１２への着座位置が左右に多少ずれても使用者Ｈの体重に応じて袋体２１が圧縮変形し、内圧が増加する。このため、この便器用体重計２０は使用者Ｈの体重を良好に検知することができる。
【００３３】
また、この便器用体重計２０は、袋体２１内の空気が減少した場合、便座１２及び／又は便蓋１３を回動させることによって、ポンプ２７を駆動して袋体２１に流体を流入させて、袋体２１を設定した内圧にすることができる。
【００３４】
＜実施例２＞
実施例２の便器用体重計１２０は、図５に示すように、保持部材１２２が実施例の形態と相違する。他の構成は実施例１と同様であり、同一の構成は同一の符号を付し詳細な説明を省略する。
【００３５】
実施例２の保持部材１２２は、便器本体１１の上面に載置した状態で、下面側に下方に開口した溝部１２３を形成している。溝部１２３は、保持部材１２２の前部左右の夫々から開口部２２Ａの周縁に沿って後方に延び、開口部２２Ａの後方で連結している。溝部１２３は、下方から見ると、略Ｕ字状に形成されている。溝部１２３は、設定した内圧で空気を封入した袋体２１の側面に合わせた断面形状（下側の約４分の１を切欠いた円形状）に形成されている。
【００３６】
保持部材１２２は、溝部１２３に袋体２１を嵌め込み、袋体２１の全長に亘って袋体２１の下側側面が保持部材２２の下面から露出するように袋体２１を保持している。溝部１２３の開口幅が設定した内圧で空気を封入した袋体２１の径寸法よりも狭いため、袋体２１は溝部１２３から抜け出ないように保持されている。
【００３７】
このような構成を有する便器用体重計１２０は、保持部材１２２が洗浄タンク１５よりも前側（便鉢部１１Ａ側）の便器本体１１の上面に載置される。これによって、便器本体１１の上面が袋体２１の下側側面に当接する状態になる。そして、この保持部材２２の後部上面に便座ボックス１４が取り付けられる。すると、袋体２１は便座１２の中央開口部１２Ａに沿って左右及び前後に延びて配置されることになる。つまり、袋体２１は、保持部材１２２に保持され、便器本体１１の上面と便座１２の下面との間に設置される。
【００３８】
そして、便座１２に使用者Ｈが着座すると、袋体２１は圧縮変形して内圧が増加する。すると、圧力センサー２５は、袋体２１の内圧を検出し、その内圧に応じた電気信号を出力する。すると、演算装置２６は、圧力センサー２５から出力された電気信号が入力され、その入力信号に応じて便座１２に着座した使用者Ｈの体重を演算する。そして、便器用体重計２０は表示装置に演算結果である便座１２に着座した使用者Ｈの体重を表示する。
【００３９】
このように、この便器用体重計１２０は、便器本体１１の上面と便座１２の下面との間に設置した袋体２１の内圧を圧力センサー２５が検出することによって、その内圧から便座１２に着座した使用者Ｈの体重を演算して測定することができる。袋体２１は、電気機器を内蔵するものではないため、簡易な構造で構成することができ、耐久性を有していればよい。このため、袋体２１を小型にすることができる。また、袋体２１の変形は一方向に限定するものではないため、便器本体１１の上面の水平度がばらついても、使用者Ｈの体重に応じて内圧が増加する。このため、この便器用体重計１２０は使用者Ｈの体重を良好に検知することができる。
【００４０】
したがって、実施例２の便器用体重計１２０は、便器１０に良好に取り付けることができ、使用者Ｈの体重を良好に測定することができる。
【００４１】
また、この便器用体重計１２０は、保持部材１２２が袋体２１の下側側面を露出した状態で保持し、袋体２１の露出した下側側面が便器本体１１の上面に当接し、便座１２に使用者Ｈが着座すると圧縮変形するように袋体２１を配置している。このため、保持部材１２２によって袋体２１を便器本体１１の上面と便座１２の下面との間に容易に設置することができる。また、袋体２１は、保持部材１２２に保持されているため、圧縮変形しても位置ずれを生じない。
【００４２】
また、この便器用体重計１２０は、袋体２１が便座１２の中央開口部１２Ａに沿って左右及び前後に延びて配置されている。このため、便座１２の下面に対して、広い範囲に袋体２１が配置されており、使用者Ｈの便座１２への着座位置が左右に多少ずれても使用者Ｈの体重に応じて袋体２１が圧縮変形し、内圧が増加する。このため、この便器用体重計１２０は使用者Ｈの体重を良好に検知することができる。
【００４３】
本発明は上記記述及び図面によって説明した実施例に限定されるものではなく、例えば次のような実施例も本発明の技術的範囲に含まれる。
（１）実施例１及び２では、袋体が略Ｕ字形状であったが、便器本体の上面と便座の下面との間に設置することができれば、袋体は他の形状であってもよい。
（２）実施例１及び２では、保持部材の外形が便器本体の上面の外径と略同じ形状に形成され、便鉢部の上部開口と相似形の開口部を有していたが、保持部材は便器本体の上面と便座の下面との間に袋体を設置することができる形状であれば他の形状であってもよい。
（３）実施例１及び２では、保持部材の溝部に袋体を嵌め込み保持したが、他の形態で袋体を保持するようにしてもよい。
（４）実施例１及び２では、袋体が便座の中央開口部に沿って、左右及び前後に延びて配置されていたが、便座の中央開口部に沿って配置されていなくてもよい。
（５）実施例１及び２では、袋体に流体を流入させるポンプを備えていたが、ポンプを備えなくてもよい。
（６）実施例１及び２では、便座の回動によってポンプが駆動したが、ポンプの駆動を別手段で行ってもよい。
（７）実施例１及び２では、袋体に空気を封入したが、空気以外の流体を袋体に封入するようにしてもよい。
【符号の説明】
【００４４】
１０…便器
１１…便器本体
１２…便座
２０、１２０…便器用体重計
２１…袋体
２１Ａ…検出口
２２、１２２…保持部材
２５…圧力センサー
２６…演算装置
２７…ポンプ
Ｈ…使用者
【図１】
2014206002.tif 000003
【図２】
2014206002.tif 000004
【図３】
2014206002.tif 000005
【図４】
2014206002.tif 000006
【図５】
2014206002.tif 000007